(57)【要約】【課題】  天壁の開口部周縁に枠体を有する可変側溝ブロックにつき、簡単な型枠構造で、生産性を高めることができる、可変側溝ブロックを提供する。【解決手段】  可変側溝ブロック１は、門型形状であって、天壁３に開口部４が設けられる。この可変側溝ブロック１は、コンクリートからなるブロック本体１１と、開口部４の周縁を構成して側溝蓋を載置可能な枠体１２とを有する。そこで、この可変側溝ブロック１は、コンクリート成形の型枠２０により、上下の向きがそのままで（つまり、門型の姿勢で）成形されて、天壁３の上面３ａが、型枠２０から開放された成形頂面Ｔとなる。そして、枠体１２は、型枠２０を構成する内型２１により下から支持されるよう、下方に露出する被支持部１２ａを有する。【選択図】  図２
2008163690.tif 000002
【特許請求の範囲】
【請求項１】
左右の側壁と、これら側壁をその上端部において連結する天壁と、その天壁に設けられた開口部とを備えて、前記側壁間が下に開放された、コンクリート成形されてなる可変側溝ブロックであって、
コンクリートからなるブロック本体と、前記開口部の周縁を構成して側溝蓋を載置可能な枠体とを有し、
前記コンクリート成形の型枠により、上下の向きがそのままで成形されて、前記天壁の上面が、前記型枠から開放された成形頂面となっており、かつ、前記枠体は、前記型枠を構成する内型により下から支持されるよう、下方に露出する被支持部を有することを特徴とする、可変側溝ブロック。
【請求項２】
前記成形頂面は、前記コンクリート成形においてこて仕上げされた、こて仕上げ面からなることを特徴とする請求項１に記載の、可変側溝ブロック。
【請求項３】
前記枠体は、左右に位置して前記天壁の上面を越えて上方に突出する第１の縦板部と、前後に位置して前記天壁の上面を越えて上方に突出する第２の縦板部と、前記第１の縦板部の下部側から左右方向における内側に延びて前記側溝蓋を掛け渡すようにして載置可能な横板部とを備えることを特徴とする請求項１または２に記載の、可変側溝ブロック。
【請求項４】
前記被支持部は、少なくとも前記横板部の先端部分からなることを特徴とする請求項３に記載の、可変側溝ブロック。
【請求項５】
請求項１ないし４のいずれか１項に記載の可変側溝ブロックを成形する型枠であって、
前記可変側溝ブロックを、上下の向きをそのままで成形すべく、前記側壁の下面を形成する台枠と、前記側壁の外面および端面並びに前記天壁の端面を形成する外型と、その外型の内側に配備されて前記側壁の内面および前記天壁の下面を形成する内型とを備え、
前記被支持部が前記内型により下から支持された前記枠体を、上から抑える抑え部材を有することを特徴とする、可変側溝ブロック用の型枠。
【請求項６】
請求項３または４に記載の可変側溝ブロックを成形する型枠であって、
前記可変側溝ブロックを、上下の向きをそのままで成形すべく、前記側壁の下面を形成する台枠と、前記側壁の外面および端面並びに前記天壁の端面を形成する外型と、その外型の内側に配備されて前記側壁の内面および前記天壁の下面を形成する内型とを備え、
前記被支持部が前記内型により下から支持された前記枠体を、上から抑える抑え部材を有し、この抑え部材は、左右の前記横板部に渡されて、それら横板部を上から抑えることを特徴とする、可変側溝ブロック用の型枠。
【請求項７】
前記抑え部材は、前記内型に、上下方向に延びる軸心回りに回動可能に支持されて、前記横板部と上下方向において対面する第１回動位置と、前記横板部を含む前記枠体と上下方向において対面しない第２回動位置との間を回動可能であることを特徴とする請求項６に記載の、可変側溝ブロック用の型枠。
【請求項８】
前記軸心を形成すべく、前記抑え部材に設けられた孔を貫通して、前記内型に設けられた雌ねじに螺合する操作ボルトを備え、その操作ボルトは、前記孔の周縁部分を上から押圧する鍔部を有することを特徴とする請求項７に記載の、可変側溝ブロック用の型枠。
【請求項９】
前記内型には、その内型上で前記枠体が前後左右に移動しないように、前記枠体に係合する位置決め部材が設けられていることを特徴とする請求項５ないし８のいずれか１項に記載の、可変側溝ブロック用の型枠。
【請求項１０】
左右の側壁と、これら側壁をその上端部において連結する天壁と、その天壁に設けられた開口部とを備えて、前記側壁間が下に開放された可変側溝ブロックであって、コンクリートからなるブロック本体と、前記開口部の周縁を構成して側溝蓋を載置可能な枠体とを有する可変側溝ブロックを、上下の向きをそのままでコンクリート成形する型枠であって、
前記側壁の下面を形成する台枠と、前記側壁の外面および端面並びに前記天壁の端面を形成する外型と、その外型の内側に配備されて前記側壁の内面および前記天壁の下面を形成するとともに頂部にて前記枠体を支持する内型とを備えてなる、可変側溝ブロック用の型枠。
【請求項１１】
請求項１０に記載の型枠を用いてコンクリート成形してなる、前記ブロック本体と前記枠体とを有する可変側溝ブロック。
【発明の詳細な説明】
【技術分野】
【０００１】
この発明は、天壁の開口部周縁に枠体を有する可変側溝ブロック、および、その可変側溝ブロックを成形する型枠に関するものである。
【背景技術】
【０００２】
従来、天壁の開口部周縁に枠体を有する可変側溝ブロックとしては、例えば、特許文献１とか２に記載のものがあった。ところで、一般に可変側溝ブロックは、その天壁部の仕上がりを美麗にするために、コンクリート成形にあたって、設置状態とは上下を逆にした状態で、すなわち、逆門型で成形された。
【０００３】
【特許文献１】特許第２６７６２９５号公報
【０００４】
【特許文献２】特許第２７６４７０７号公報
【発明の開示】
【発明が解決しようとする課題】
【０００５】
しかし、このようして成形された可変側溝ブロックを脱型する際には、その可変側溝ブロックを吊上げる前に、中子（内型）を取り除く必要があり、このため作業の手数が増えて、生産性がよくなかった。また、脱型の際に中子（内型）を取り除く必要がない型枠も提案されたが、その構造が複雑となっていた。
【０００６】
この発明は、上記した従来の欠点を解決するためになされたものであり、その目的とするところは、天壁の開口部周縁に枠体を有する可変側溝ブロックにつき、簡単な型枠構造で、生産性を高めることができる、可変側溝ブロックおよび可変側溝ブロック用の型枠を提供することにある。
【課題を解決するための手段】
【０００７】
この発明に係る可変側溝ブロックおよび可変側溝ブロック用の型枠は、前記目的を達成するために、次の構成からなる。すなわち、
請求項１に記載の発明に係る可変側溝ブロックは、左右の側壁と、これら側壁をその上端部において連結する天壁と、その天壁に設けられた開口部とを備えて、前記側壁間が下に開放された、コンクリート成形されてなる可変側溝ブロックである。この可変側溝ブロックは、コンクリートからなるブロック本体と、前記開口部の周縁を構成して側溝蓋を載置可能な枠体とを有する。そこで、この可変側溝ブロックは、前記コンクリート成形の型枠により、上下の向きがそのままで成形されて、前記天壁の上面が、前記型枠から開放された成形頂面となっており、かつ、前記枠体は、前記型枠を構成する内型により下から支持されるよう、下方に露出する被支持部を有する。
【０００８】
この可変側溝ブロックは、コンクリート成形にあたって、天壁の開口部の周縁を構成する枠体が、その被支持部部分で、型枠の内型によって下から支持されて、上下の向きがそのままで成形される。こうして、可変側溝ブロックが、上下の向きがそのままで成形されることから、内型を残したままの状態で脱型することができる。
【０００９】
また、請求項２に記載の発明に係る可変側溝ブロックは、請求項１に記載の可変側溝ブロックにおいて、前記成形頂面は、前記コンクリート成形においてこて仕上げされた、こて仕上げ面からなる。
【００１０】
また、請求項３に記載の発明に係る可変側溝ブロックは、請求項１または２に記載の可変側溝ブロックにおいて、前記枠体は、左右に位置して前記天壁の上面を越えて上方に突出する第１の縦板部と、前後に位置して前記天壁の上面を越えて上方に突出する第２の縦板部と、前記第１の縦板部の下部側から左右方向における内側に延びて前記側溝蓋を掛け渡すようにして載置可能な横板部とを備える。
【００１１】
また、請求項４に記載の発明に係る可変側溝ブロックは、請求項３に記載の可変側溝ブロックにおいて、前記被支持部は、少なくとも前記横板部の先端部分からなる。
【００１２】
また、請求項５に記載の発明に係る可変側溝ブロック用の型枠は、請求項１ないし４のいずれか１項に記載の可変側溝ブロックを成形する型枠であって、前記可変側溝ブロックを、上下の向きをそのままで成形すべく、前記側壁の下面を形成する台枠と、前記側壁の外面および端面並びに前記天壁の端面を形成する外型と、その外型の内側に配備されて前記側壁の内面および前記天壁の下面を形成する内型とを備える。そして、この型枠は、前記被支持部が前記内型により下から支持された前記枠体を、上から抑える抑え部材を有する。
【００１３】
この型枠によると、可変側溝ブロックに設けられる枠体は、その被支持部部分で、型枠の内型によって下から支持され、抑え部材によって上から抑えられて、型枠に確実に固定される。そして、この型枠では、可変側溝ブロックが、上下の向きがそのままで成形されることから、内型を残したままの状態で脱型することができる。
【００１４】
また、請求項６に記載の発明に係る可変側溝ブロック用の型枠は、請求項３または４に記載の可変側溝ブロックを成形する型枠であって、前記可変側溝ブロックを、上下の向きをそのままで成形すべく、前記側壁の下面を形成する台枠と、前記側壁の外面および端面並びに前記天壁の端面を形成する外型と、その外型の内側に配備されて前記側壁の内面および前記天壁の下面を形成する内型とを備える。そして、この型枠は、前記被支持部が前記内型により下から支持された前記枠体を、上から抑える抑え部材を有する。この抑え部材は、左右の前記横板部に渡されて、それら横板部を上から抑えるものである。
【００１５】
この型枠によると、可変側溝ブロックに設けられる枠体は、その被支持部部分で、型枠の内型によって下から支持され、抑え部材によって上から抑えられて、型枠に確実に固定される。そして、このとき、抑え部材は、左右の横板部に渡されて、それら横板部を抑えるので、コンクリートを打設する際に、この抑え部材が邪魔になることがない。また、この型枠では、可変側溝ブロックが、上下の向きがそのままで成形されることから、内型を残したままの状態で脱型することができる。
【００１６】
また、請求項７に記載の発明に係る可変側溝ブロック用の型枠は、請求項６に記載の型枠において、前記抑え部材は、前記内型に、上下方向に延びる軸心回りに回動可能に支持されて、前記横板部と上下方向において対面する第１回動位置と、前記横板部を含む前記枠体と上下方向において対面しない第２回動位置との間を回動可能である。
【００１７】
また、請求項８に記載の発明に係る可変側溝ブロック用の型枠は、請求項７に記載の型枠において、前記軸心を形成すべく、前記抑え部材に設けられた孔を貫通して、前記内型に設けられた雌ねじに螺合する操作ボルトを備え、その操作ボルトは、前記孔の周縁部分を上から押圧する鍔部を有する。
【００１８】
また、請求項９に記載の発明に係る可変側溝ブロック用の型枠は、請求項５ないし８のいずれか１項に記載の型枠において、前記内型には、その内型上で前記枠体が前後左右に移動しないように、前記枠体に係合する位置決め部材が設けられている。これにより、内型上に枠体を配置する際に、枠体に位置決め部材を係合させることで、枠体を、所定の位置に容易に配置することができる。
【００１９】
また、請求項１０に記載の発明に係る可変側溝ブロック用の型枠は、左右の側壁と、これら側壁をその上端部において連結する天壁と、その天壁に設けられた開口部とを備えて、前記側壁間が下に開放された可変側溝ブロックであって、コンクリートからなるブロック本体と、前記開口部の周縁を構成して側溝蓋を載置可能な枠体とを有する可変側溝ブロックを、上下の向きをそのままでコンクリート成形する型枠である。この型枠は、前記側壁の下面を形成する台枠と、前記側壁の外面および端面並びに前記天壁の端面を形成する外型と、その外型の内側に配備されて前記側壁の内面および前記天壁の下面を形成するとともに頂部にて前記枠体を支持する内型とを備える。
【００２０】
この型枠によると、可変側溝ブロックに設けられる枠体は、型枠の内型によって支持される。そして、この型枠では、可変側溝ブロックが、上下の向きがそのままで成形されることから、内型を残したままの状態で脱型することができる。
【００２１】
また、請求項１１に記載の発明に係る可変側溝ブロックは、請求項１０に記載の型枠を用いてコンクリート成形してなる、前記ブロック本体と前記枠体とを有する可変側溝ブロックである。
【発明の効果】
【００２２】
この発明に係る可変側溝ブロックおよび可変側溝ブロック用の型枠によれば、天壁の開口部周縁に枠体を有する可変側溝ブロックにつき、その可変側溝ブロックが、上下の向きがそのままで成形されて、内型を残したままの状態で脱型することができるため、内型の脱着が不要となり、簡単な型枠構造で、生産性を高めることができる。
【発明を実施するための最良の形態】
【００２３】
以下、この発明に係る可変側溝ブロックおよび可変側溝ブロック用の型枠を実施するための最良の形態を図面に基づいて説明する。
【００２４】
図１〜図１１は、本発明の一実施の形態を示す。図中符号１は、可変側溝ブロックである。２０は、前記可変側溝ブロック１を成形する、可変側溝ブロック用の型枠である。
【００２５】
可変側溝ブロック１は、図１〜図３に示すように、左右の側壁２、２と、これら側壁２、２をその上端部において連結する天壁３と、その天壁３に設けられた開口部４とを備えて、前記側壁２、２間が下に開放された、コンクリート成形されてなる可変側溝ブロックである。ここにおいて、可変側溝ブロック１は、コンクリートからなるブロック本体１１と、前記開口部４の周縁を構成して側溝蓋（図示せず）を載置可能な枠体１２とを有する。
【００２６】
この可変側溝ブロック１は、コンクリート成形の型枠２０により、上下の向きがそのままで（つまり、門型の姿勢で）成形されて、天壁３の上面３ａが、型枠２０から開放された成形頂面Ｔとなっている。この成形頂面Ｔは、前記コンクリート成形においてこて仕上げされた、こて仕上げ面からなる。そして、前記枠体１２は、型枠２０を構成する内型２１により下から支持されるよう、下方に露出する被支持部１２ａを有する。
【００２７】
詳細には、枠体１２は、例えば、鋼製からなり、前記天壁３の上面３ａを越えて上方に突出する。より詳細には、枠体１２は、左右に位置して天壁３の上面３ａを越えて上方に突出する第１の縦板部１２ｂ、１２ｂと、前後に位置して天壁３の上面３ａを越えて上方に突出する第２の縦板部１２ｃ、１２ｃと、前記第１の縦板部１２ｂ、１２ｂの下部側から左右方向における内側に延びて側溝蓋を掛け渡すようにして載置可能な横板部１２ｄ、１２ｄとを備える。図示実施の形態においては、第１の縦板部１２ｂと横板部１２ｄとは、それらが一体に形成されたアングル材からなる。そして、第２の縦板部１２ｃは、平板材からなる。そこで、枠体１２は、これらアングル材と平板材とが、例えば溶接により互いに接合されることで、一体化される。
【００２８】
また、枠体１２における前記被支持部１２ａは、少なくとも横板部１２ｄの先端部分からなる。図示実施の形態においては、被支持部１２ａは、横板部１２ｄの先端部分である第１の被支持部１２１と（図２参照）、第２の縦板部１２ｃの下端である第２の被支持部１２２とからなる（図３参照）。
【００２９】
そして、以上の構成からなる可変側溝ブロック１は、施工にあたって、路面等に埋設されると、開口部４は、コンクリート蓋とかグレーチング等の側溝蓋で塞がれ、天壁３の上面３ａには、化粧板とかレンガ等の、化粧材、舗装材が載置されたり、道路舗装の舗装部が延長形成されたりする。
【００３０】
型枠２０は、図４に示すように、可変側溝ブロック１を、上下の向きをそのままで（つまり、門型の姿勢で）成形すべく、側壁２の下面２ａを形成する台枠２２と、側壁２の外面２ｂおよび端面２ｃ並びに天壁３の端面３ｂを形成する外型２３（詳細には、側壁２の外面２ｂを形成する側板２３ａと、側壁２の端面２ｃおよび天壁３の端面３ｂを形成する妻板２３ｂ）と、その外型２３の内側に配備されて側壁２の内面２ｄおよび天壁３の下面３ｃを形成する、縦断面略逆Ｕ字形の前記内型２１とを備える。そして、内型２１は、幅方向の寸法を縮めたり拡げたりすることが可能となっているとともに、頂部にて、前記枠体１２（詳細には、前記被支持部１２ａ）を支持する。また、型枠２０は、前記被支持部１２ａが内型２１により下から支持された枠体１２を、上から抑える抑え部材２４を有する。
【００３１】
詳細には、この抑え部材２４は、左右の横板部１２ｄ、１２ｄに渡されて、それら横板部１２ｄ、１２ｄを上から抑える。そして、抑え部材２４は、内型２１に、上下方向に延びる軸心Ｌ回りに回動可能に支持されて、横板部１２ｄと上下方向において対面する第１回動位置（図５、図６において、実線で示す。）と、横板部１２ｄを含む枠体１２と上下方向において対面しない第２回動位置（図５、図６において、二点鎖線で示す。）との間を回動可能となっている。具体的には、型枠２０は、前記軸心Ｌを形成すべく、抑え部材２４に設けられた孔２４ａを貫通して、内型２１に設けられた雌ねじ（図示実施の形態においては、内型２１に固定されたナット２１ｂにおける雌ねじ）に螺合する操作ボルト２５を備える（図７参照）。そして、操作ボルト２５は、抑え部材２４における孔２４ａの周縁部分を上から押圧する鍔部２５ａを有し、また、上端には、手で操作されるハンドル２５ｂを有している。すなわち、抑え部材２４は、孔２４ａを貫通する操作ボルト２５を軸として回動可能となる。そして、ナット２１ｂ（雌ねじ）に螺合する操作ボルト２５を下方に進むように回動操作することで、操作ボルト２５の鍔部２５ａが、抑え部材２４における孔２４ａの周縁部分を上から押圧し、その押圧された抑え部材２４が、横板部１２ｄ（枠体１２）を上から抑える。
【００３２】
ところで、内型２１には、図６に示すように、その内型２１上で枠体１２が前後左右に移動しないように、枠体１２に係合する位置決め部材としての位置決め突起２１ｃ、２１ｃが設けられている。図示実施の形態においては、これら位置決め突起２１ｃ、２１ｃは、枠体１２の内周面のコーナー部分４箇所にそれぞれ係合するように設けられている。また、内型２１には、抑え部材２４が前記第１の回動位置に位置するときに、その抑え部材２４が前記第２の回動位置とは反対側に回動しないように制止するストッパー２１ｄが設けられている。なお、内型２１は、支柱２６によって、台枠２２上に保持される。
【００３３】
次に、この型枠２０を用いて可変側溝ブロック１を成形する手順を、順を追って説明する。まず、図５〜図７に示すように、型枠２０を組み立て、枠体１２を型枠２０の内型２１の上に固定する。この枠体１２の固定にあたっては、抑え部材２４を前記第２回動位置に位置させた状態で（図５、図６において、二点鎖線で示す。）、枠体１２を内型２１に載せる。このとき、枠体１２に位置決め突起２１ｃ、２１ｃを係合させるようにして、枠体１２の被支持部１２ａを内型２１に当接させる。そして、抑え部材２４を前記第１回動位置まで回動し（図５、図６において、実線で示す。）、操作ボルト２５を、ナット２１ｂ（雌ねじ）に対して、締付け側に回動して、下方に移動させる。こうして、内型２１によって下から支持された枠体１２を、操作ボルト２５を介して、抑え部材２４で上から抑えることにより、枠体１２は、内型２１に固定される。次に、図８に示すように、型枠２０内に配筋し（図示せず）、コンクリート１ａを打設する。そして、その打設したコンクリート１ａが固化して、可変側溝ブロック１が成形された後に、脱型する。この脱型にあたっては、始めに、図９および図１０に示すように、側板２３ａと妻板２３ｂを、成形された可変側溝ブロック１から離すとともに、内型２１を可変側溝ブロック１に対して縁切りする。さらに、操作ボルト２５を、ナット２１ｂ（雌ねじ）に対して、緩め側に回動して、上方に移動させ、抑え部材２４を前記第２回動位置まで回動する。そして、図１１に示すように、可変側溝ブロック１を吊り上げて、脱型を完了する。
【００３４】
次に、以上の構成からなる可変側溝ブロック１および可変側溝ブロック用の型枠２０の作用効果について説明する。この可変側溝ブロック１は、コンクリート成形にあたって、天壁３の開口部４の周縁を構成する枠体１２が、その被支持部１２ａ部分で、型枠２０の内型２１によって下から支持されて、上下の向きがそのままで（つまり、門型の姿勢で）成形される。こうして、可変側溝ブロック１が、上下の向きがそのままで成形されることから、内型２１を残したままの状態で脱型することができる。そして、このように、天壁３の開口部４周縁に枠体１２を有する可変側溝ブロック１につき、その可変側溝ブロック１が、上下の向きがそのままで成形されて、内型２１を残したままの状態で脱型することができるため、内型２１の脱着が不要となり、簡単な型枠構造で、生産性を高めることができる。
【００３５】
また、内型２１上に枠体１２を配置する際に、枠体１２に位置決め突起２１ｃを係合させることで、枠体１２を、所定の位置に容易に配置することができる。そして、枠体１２は、その被支持部１２ａ部分で、型枠２０の内型２１によって下から支持され、抑え部材２４によって上から抑えられる。そのため、枠体１２は、型枠２０に確実に固定される。このとき、抑え部材２４は、枠体１２における左右の横板部１２ｄ、１２ｄに渡されて、それら横板部１２ｄ、１２ｄを抑える。このため、コンクリートを打設する際に、この抑え部材２４が邪魔になることがない（図５、図６参照）。
【００３６】
なお、本発明は、上述した実施の形態に限定されるわけではなく、その他種々の変更が可能である。例えば、可変側溝ブロック１において、枠体１２は、天壁３の上面３ａを越えて上方に突出しているが、上方に突出しなくともよい。
【００３７】
また、枠体１２における被支持部１２ａは、横板部１２ｄの先端部分である第１の被支持部１２１と、第２の縦板部１２ｃの下端である第２の被支持部１２２とからなるが、それら、第１の被支持部１２１と第２の被支持部１２２との、いずれか一方からなっていてもよく、また、その他の部分からなってもよい。また、枠体１２は、鋼製でなくともよく、例えば、コンクリート製であってもよい。
【００３８】
また、型枠２０において、抑え部材２４は、左右の横板部１２ｄ、１２ｄに渡されてそれら横板部１２ｄ、１２ｄをまとめて上から抑えるようになっているが、左右それぞれの横板部１２ｄ、１２ｄを別々に上から抑えるものであってもよい。また、抑え部材２４は、横板部１２ｄを抑えるものでなくとも、第１の縦板部１２ｂとか第２の縦板部１２ｃとかを抑えるものであってもよい。
【００３９】
また、型枠２０における内型２１には、位置決め突起２１ｃが、枠体１２の内周面のコーナー部分に係合するように設けられているが、例えば、横板部１２ｄに切欠きを形成し、その切欠きに係合するように位置決め突起等の位置決め部材を設けてもよい。
【図面の簡単な説明】
【００４０】
【図１】この発明の一実施の形態の、可変側溝ブロックの斜視図である。
【図２】同じく、図１におけるＡ−Ａ線による断面図である。
【図３】同じく、図２におけるＢ−Ｂ線による断面図である。
【図４】同じく、型枠の模式的な分解斜視図である。
【図５】同じく、成形における、第１番目の手順を説明する、模式的な斜視図である。
【図６】同じく、模式的な平面図である。
【図７】同じく、図６におけるＣ−Ｃ線による模式的な断面図である。
【図８】同じく、成形における、第２番目の手順を説明する、図７相当図である。
【図９】同じく、成形における、第３番目の手順を説明する、模式的な斜視図である。
【図１０】同じく、図７相当図である。
【図１１】同じく、成形における、第４番目の手順を説明する、図７相当図である。
【符号の説明】
【００４１】
１  可変側溝ブロック
２  側壁
２ａ  下面
２ｂ  外面
２ｃ  端面
２ｄ  内面
３  天壁
３ａ  上面
３ｂ  端面
３ｃ  下面
４  開口部
１１  ブロック本体
１２枠体
１２ａ  被支持部
１２１  第１の被支持部（被支持部）
１２ｂ  第１の縦板部
１２ｃ  第２の縦板部
１２ｄ  横板部
Ｔ  成形頂面
２０  型枠
２１  内型
２１ｂ  ナット（雌ねじ）
２１ｃ  位置決め突起（位置決め部材）
２３  外型
２４  抑え部材
２４ａ  孔
２５  操作ボルト
２５ａ  鍔部
Ｌ  軸心
【図１】
2008163690.tif 000003
【図２】
2008163690.tif 000004
【図３】
2008163690.tif 000005
【図４】
2008163690.tif 000006
【図５】
2008163690.tif 000007
【図６】
2008163690.tif 000008
【図７】
2008163690.tif 000009
【図８】
2008163690.tif 000010
【図９】
2008163690.tif 000011
【図１０】
2008163690.tif 000012
【図１１】
2008163690.tif 000013